(57)【特許請求の範囲】
【請求項１】
スタンプの印面を洗浄液の浸漬した状態で当該印面にブラシを当接し、当該スタンプと当該ブラシとを相対的にブラッシング動作させて、当該印面を洗浄するスタンプの洗浄装置であって、
前記スタンプを保持するスタンプ保持手段と、
前記ブラシを保持するブラシ保持手段と、
前記洗浄液を貯留すると共に、その底面に前記ブラシ保持手段が着座する洗浄液槽と、
前記ブラシ保持手段に、ブラッシング動作となる円運動を行わせるブラッシング運動手段と、を備え、
前記ブラシ保持手段は、先端部が半球状のピン状突起を有し、
前記ブラッシング運動手段は、前記ブラシ保持手段に対して係脱自在に構成されていると共に、モータと、前記モータにより回転する回転体と、前記回転体に設けられ、当該回転体の回転に伴って円運動することにより、前記ピン状突起に側方から当接してこれに係合する係合部材と、を有することを特徴とするスタンプの洗浄装置。
【請求項２】
スタンプの印面を洗浄液の浸漬した状態で当該印面にブラシを当接し、当該スタンプと当該ブラシとを相対的にブラッシング動作させて、当該印面を洗浄するスタンプの洗浄装置であって、
前記スタンプを保持するスタンプ保持手段と、
前記ブラシを保持するブラシ保持手段と、
前記洗浄液を貯留すると共に、その底面に前記ブラシ保持手段が着座する洗浄液槽と、
前記ブラシ保持手段に、ブラッシング動作となる円運動を行わせるブラッシング運動手段と、を備え、
前記洗浄液槽の底面には、前記ブラシ保持手段を支持すると共に離間して配置した２本の支持突条が形成され、
且つ前記ブラシ保持手段の下面には、前記各支持突条に交差すると共に離間して配置した２本の受け突条が形成されていることを特徴とするスタンプの洗浄装置。
【請求項３】
前記洗浄液槽の底面および前記ブラシ保持手段の下面のいずれか一方には、当該ブラシ保持手段の円運動を案内する円形溝が形成され、他方には当該円形溝に係合する係合ピンが形成されていることを特徴とする請求項１または２に記載のスタンプの洗浄装置。
【請求項４】
前記円形溝は、相互に離間して配設された同一形状の３つ以上の円形溝部で構成され、
前記係合ピンは前記各円形溝部に係合する３つ以上の係合ピン部で構成されていることを特徴とする請求項３に記載のスタンプの洗浄装置。
【請求項５】
前記ブラッシング運動手段は、前記円運動を制御するコントローラを有しており、
前記コントローラは、前記円運動の運動時間を設定可能なタイマーと、当該タイマーの設定時間経過後、洗浄が完了したことを報知する報知器とを有していることを特徴とする請求項１ないし４のいずれかに記載のスタンプの洗浄装置。
【請求項６】
前記スタンプの印面が、マスクを介して印章画像を露光した状態の光硬化性樹脂で構成されていることを特徴とする請求項１ないし５のいずれかに記載のスタンプの洗浄装置。
【発明の詳細な説明】
【０００１】
【発明の属する技術分野】
本発明は、ブラシを用いてスタンプの印面を洗浄するスタンプの洗浄装置に関するものである。
【０００２】
【従来の技術】
近年、印面を光硬化性樹脂で構成したスタンプ（素材）に、マスクを介して印章画像（印章文字）を露光して所望のスタンプを作製するスタンプ作製装置が知られている。このスタンプ作製装置で作成したスタンプでは、露光後、印章画像を構成する硬化部分を残して、硬化しない部分を取り除く必要がある。すなわち、露光後、スタンプの印面を洗浄して、印章画像に相当する凸部分を浮き上がらせる必要がある。そこで従来、底面に薄型方形のブラシ体を設けた洗浄パン（洗浄器）が用意されており、ユーザーは、洗浄パンに水を入れ、露光後のスタンプをこのブラシにすり付けるようにして、印面の洗浄を行うようにしている。
【０００３】
【発明が解決しようとする課題】
このような従来の洗浄器では、洗浄作業が煩雑であると共に、ユーザーの個人差により印面の洗浄にむらが生ずる問題がある。印面に洗浄むらが生ずると、残った硬化しない部分も、やがて照明等により硬化してしまい、良好な印面（印章文字）が得られなくなる。また逆に、ブラッシングが強すぎると、硬化した部分まで剥がれてしまう問題も生ずる。このため、洗浄の自動化が望まれていた。また、ゴム印などの一般的なスタンプにおいても、目づまりやインク色の変更などの際に、印面を自動洗浄できることが望ましい。
【０００４】
本発明は、スタンプの印面を適切且つ安定に洗浄することができるスタンプの洗浄装置を提供することをその目的としている。
【０００５】
【課題を解決するための手段】
本発明のスタンプの洗浄装置は、スタンプの印面を洗浄液の浸漬した状態で印面にブラシを当接し、スタンプとブラシとを相対的にブラッシング動作させて、印面を洗浄するスタンプの洗浄装置であって、スタンプを保持するスタンプ保持手段と、ブラシを保持するブラシ保持手段と、洗浄液を貯留すると共に、その底面にブラシ保持手段が着座する洗浄液槽と、ブラシ保持手段に、ブラッシング動作となる円運動を行わせるブラッシング運動手段と、を備え、ブラシ保持手段は、先端部が半球状のピン状突起を有し、ブラッシング運動手段は、ブラシ保持手段に対して係脱自在に構成されていると共に、モータと、モータにより回転する回転体と、回転体に設けられ、回転体の回転に伴って円運動することにより、ピン状突起に側方から当接してこれに係合する係合部材と、を有することを特徴とする。
【０００６】
この構成によれば、ブラッシング運動手段により、ブラシ保持手段に保持したブラシと、スタンプ保持手段に保持したスタンプとを、相対的に周回運動させることにより、ブラッシング動作において、印面の特定の一部とブラシの特定の一部が常に接触していることがなく、スタンプの印面の各部に対しブラシがあらゆる方向から摺接する。これにより、印面における各凹部の汚れを良好に掻き出すことができると共に、掻き出された汚れを洗浄液に良好に溶け込ませることができる。また、ブラシの特定の一部がへたってしまうのを、防止することができる。なお、ブラッシング動作は、スタンプ保持手段を固定としブラシ保持手段を可動としてもよいし、ブラシ保持手段を固定としスタンプ保持手段を可動としてもよい。また、この両者を可動としてもよい。
また、この構成によれば、モータを動力源とする回転体の回転により、係合部材が円運動し、この係合部材の円運動により、ブラシ保持手段が円運動する。したがって、単純な構成でブラシ保持手段を、すなわちブラシを円運動させることができる。なお、モータの回転は正逆回転でもよく、すなわちブラシを正逆円運動させるようにしてもよい。
さらに、この構成によれば、円形溝および係合ピンにより、ブラシ保持手段の円運動を案内するようにしているため、ブラシ保持手段の円運動を洗浄液槽内で円滑に行わせることができる。また、洗浄液槽内でのブラシ保持手段の円運動は、洗浄液を撹伴し、スタンプの汚れの洗浄液への溶け込みを促進する。さらに、ブラッシング運動手段の係合部材と、ブラシ保持手段の係合受け部材とを、連結或いは接続する必要がないため、ブラッシング運動手段とブラシ保持手段とを簡単に係脱することができる。
【０００７】
また、本発明のスタンプの洗浄装置は、スタンプの印面を洗浄液の浸漬した状態で印面にブラシを当接し、スタンプとブラシとを相対的にブラッシング動作させて、印面を洗浄するスタンプの洗浄装置であって、スタンプを保持するスタンプ保持手段と、ブラシを保持するブラシ保持手段と、洗浄液を貯留すると共に、その底面に前記ブラシ保持手段が着座する洗浄液槽と、ブラシ保持手段に、ブラッシング動作となる円運動を行わせるブラッシング運動手段と、を備え、洗浄液槽の底面には、ブラシ保持手段を支持すると共に離間して配置した２本の支持突条が形成され、且つブラシ保持手段の下面には、各支持突条に交差すると共に離間して配置した２本の受け突条が形成されていることを特徴とする。
【０００８】
この構成によれば、洗浄液槽の底面とブラシ保持手段の下面とは、２本の支持突条と２本の受け突条とで直接接触して、円運動を行うことになる。このため、両者が全面で接する場合に比して相互間の摩擦力が小さくなり、ブラシ保持手段の円運動を円滑に行わせることができる。また、離間した２本の支持突条と離間した２本の受け突条とが直接接触するため、ブラシ保持手段の姿勢が安定し、スタンプにブラシが安定に摺接する。
【００１３】
この場合、周回運動となる相対的なブラッシング動作において、スタンプの運動軌跡の外郭線がブラシの外郭内に納まっていることが、好ましい。
【００１４】
この構成によれば、ブラッシング動作において、ブラシの全域を有効に使用することができ、かつスタンプの印面の全域を常にブラシに摺接させることができる。なお、ブラシをコンパクトに構成したい場合には、ブラシの外郭をスタンプの運動軌跡の外郭線とほぼ同一にすることが、好ましい。
【００１５】
これらの場合、周回運動が円運動であることが、好ましい。
【００１６】
この構成によれば、スタンプの印面の各部に対しブラシがあらゆる方向から且つ均一にむら無く摺接し、より一層良好な洗浄を行うことができる。また、比較的簡単な構造で、周回運動を行わせる機構を構成することができる。
【００１９】
これらの場合、洗浄液を貯留する洗浄液槽を備え、且つブラシ保持手段はブラシを保持した状態で洗浄液槽の底面に着座しており、洗浄液槽の底面およびブラシ保持手段の下面のいずれか一方には、ブラシ保持手段の円運動を案内する円形溝が形成され、他方には円形溝に係合する係合ピンが形成されていることが、好ましい。
【００２０】
この構成によれば、円形溝および係合ピンにより、ブラシ保持手段の円運動を案内するようにしているため、ブラシ保持手段の円運動を洗浄液槽内で円滑に行わせることができる。また、洗浄液槽内でのブラシ保持手段の円運動は、洗浄液を攪伴し、スタンプの汚れの洗浄液への溶け込みを促進する。さらに、ブラッシング運動手段の係合部材と、ブラシ保持手段の係合受け部材とを、連結或いは接続する必要がないため、ブラッシング運動手段とブラシ保持手段とを簡単に係脱することができる。
【００２１】
この場合、円形溝は、相互に離間して配設された同一形状の３つ以上の円形溝部で構成され、係合ピンは各円形溝部に係合する３つ以上の係合ピン部で構成されていることが、好ましい。
【００２２】
この構成によれば、ブラシ保持手段における係合受け部材の配置位置が中心近くになても、ブラシ保持手段の円運動を円滑に行わせることができる。なお、各円形溝部（各係合ピン部）は、できる限り離間していた方が円運動は安定する。したがって、円形溝部は、必然的にブラシ保持手段より大きく形成される洗浄槽に形成することが、好ましい。
【００２５】
これらの場合、洗浄液槽は、平面視略方形に形成されていることが、好ましい。
【００２６】
この構成によれば、ブラシ保持手段の円運動による洗浄液の攪伴は、その洗浄液の流れが、平面視略方形の洗浄液槽の周壁により乱されて乱流化する。このため、スタンプの汚れの洗浄液への溶け込みを、より一層促進することができる。
【００２７】
これらの場合、ブラシ保持手段は、ブラシを保持するブラシホルダと、ブラシホルダに組み込んだ重りとを有することが、好ましい。
【００２８】
この構成によれば、ブラシホルダが樹脂などの軽い部材で構成されている場合に、ブラシ保持手段が洗浄液に浮いてしまうのを、防止することができる。
【００２９】
この場合、重りは、前記ブラシホルダに着脱自在に装着されていることが、好ましい。
【００３０】
この構成によれば、使用済みのブラシ保持手段を廃棄する場合、ブラシホルダと重りとを簡単に分離することができ、分解処理性を向上させることができる。
【００３３】
これらの場合、ブラッシング運動手段は、周回運動を制御するコントローラを有しており、コントローラは、周回運動の運動時間を設定可能なタイマーと、タイマーの設定時間経過後、洗浄が完了したことを報知する報知器とを有していることが、好ましい。
【００３４】
この構成によれば、コントローラにより洗浄時間の設定ができるため、洗浄むらを防止することができる。また、報知器により、ユーザーに対し洗浄の完了を報知することができる。なお、報知器としては、ブザーなどの音による報知器が好ましい。
【００３５】
これらの場合、スタンプの印面が、マスクを介して印章画像を露光した状態の光硬化性樹脂で構成されていることが、好ましい。
【００３６】
この構成によれば、印面における硬化しない部分を、適切に掻き出し且つ洗浄液に良好に溶け込ませることができ、洗浄むらを有効に防止することができる。
【００３７】
【発明の実施の形態】
以下、添付図面を参照して、本発明の一実施形態に係るスタンプの洗浄方法およびその装置を、スタンプ作製装置で作製したスタンプのスタンプ洗浄装置に適用した場合について説明する。スタンプ作製装置は、印面を紫外線硬化樹脂で形成したスタンプ素材に、インクリボンに印字（印刷）した印章文字（絵柄を含む印章画像）をマスクとして紫外線を露光し、所望のスタンプを作成するものであり、この露光によりスタンプの印面は、印章文字の部分のみ硬化し、他の部分は硬化せず軟らかいままとなる。そして、実施形態のスタンプ洗浄装置は、このスタンプの硬化しない部分をブラッシングにより洗い流すものであり、洗浄が完了すると、スタンプの印面は硬化した印章文字の部分のみが凸状に残る。
【００３８】
図１はスタンプ洗浄装置の外観斜視図であり、図２はその分解斜視図である。両図に示すように、このスタンプ洗浄装置１は、水道水などの洗浄液を貯留する洗浄液槽２と、洗浄液槽２の上端開口を着脱自在に閉蓋する閉蓋手段３とで構成されており、また閉蓋手段３は、スタンプセット部４と駆動装置部５とで２分割に構成されている。洗浄液槽２の内側には、これに注ぎ込んだ洗浄液に浸清されるようにしてブラシ体６が収容されている。スタンプセット部４には、後述するスタンプ保持機構が組み込まれており、スタンプ保持機構はスタンプを挟持するようにしてこれを保持する。スタンプセット部４を洗浄液槽２に装着すると、これに保持されたスタンプは下向きに洗浄液槽２内に臨み、その印面がブラシ体６に当接する。駆動装置部５には、後述するブラシ体駆動機構１５が組み込まれており、駆動装置部５を洗浄液槽２に装着すると、ブラシ体駆動機構１５の出力端がブラシ体６に係合する。
【００３９】
洗浄液槽２に所定量の洗浄液を注いだ後、これにブラシ体６を着座させ、次に駆動装置部５を洗浄液槽２に閉蓋するように装着すると共に、予めスタンプをセットしたスタンプセット部４を洗浄液槽２に閉蓋するように装着する。この状態で、駆動装置部５を駆動させると、駆動装置部５は、ブラシ体６をその当接姿勢に保持状態で円運動させる。このブラシ体６の円運動により、スタンプの印面がブラッシングされ、このブラッシングにより印面の硬化しない部分が、掻き取られるようにして洗浄液に溶け出し洗浄が行われる。所定時間経過後、駆動装置部５が停止したら、上記と逆の手順でスタンプセット部４および駆動装置部５を洗浄液槽２から取り外し、洗浄液槽２およびブラシ体６を簡単に洗って、洗浄作業を完了する。そして再度、洗浄液槽２にスタンプセット部４および駆動装置部５を装着して、これを保管する。
【００４０】
駆動装置部５は、装置部ケース１１によりその外殻が形成されており、装置部ケース１１は洗浄液槽２の半部の蓋体を兼ねている。装置部ケース１１の上面には、スタートスイッチ１２と、電源表示ランプ１３および駆動表示ランプ１４が配設されている。また、装置部ケース１１の内部にはブラシ体駆動機構１５が収納されている（図４参照）。ブラシ体駆動機構１５に電力が供給されると電源表示ランプ１３が点灯し、この状態でスタートスイッチ１２がＯＮされると、駆動表示ランプ１４が点灯すると共にブラシ体駆動機構１５が駆動する。
【００４１】
図２および図３に示すように、装置部ケース１１は、洗浄液槽２に装着されるベース部２２およびブラシ体駆動機構１５を収納した機構収納部２３から成るケース本体２１と、機構収納部２３に対応してケース本体２１の裏面に取り付けた裏蓋２４とで構成されている。ベース部２２の一方の端部には、洗浄液槽２の係止孔９５に内側から嵌合する係止突起（図示せず）が形成され、他方の端部には、洗浄液槽２の小突起９６に内側から係止する掛止め片２５が形成されている。掛止め片２５は、ばね性を奏するように「Ｖ」字状に折曲げ形成されており、その指掛け部２５ａの下側に形成した一対の切欠き部２５ｂで、上記の小突起９６に係止する。
【００４２】
また、ベース部２２のスタンプセット部４側の側壁２６には、後述するインターロックスイッチ５３の操作端６５が突出するスイッチ開口２７が形成されている。さらに、ベース部２２における洗浄液槽２の隅部に対応する部位には、一対の係合片２８，２８が垂設されており、駆動装置部５を洗浄液槽２に装着した状態で、各係合片２８は洗浄液槽２の隅部の内側に係合する。また、一対の係合片２８，２８間には、ベース部２２を上側に切り欠くようにして４つの通気部２９が形成されている。駆動装置部５を洗浄液槽２に装着した状態では、この通気部２９と洗浄液槽２の上縁部との間に、洗浄液槽２の内部と外気とを連通する間隙が生ずるようになっている。洗浄液槽２やブラシ体６はスタンプを洗浄した後、洗ってから保管するが、そのとき、洗浄液槽２の内面やブラシ体６が濡れていても、この通気部２９の部分から外気が流通して、この濡れが乾くようになっている。
【００４３】
裏蓋２４は、平板状の裏蓋本体３１と、裏蓋本体３１の外縁部から立ち上げた立上げ片３２と、上記の通気部２９に対応する位置に裏蓋本体３１の外縁部から垂下したガイド片３３と、裏蓋本体３１の裏面からスタンプセット部４側に突出した一対の離脱阻止片３４，３４とで一体に形成されている。ガイド片３３と上記の一対の係合片２８，２８は、駆動装置部５を洗浄液槽２に装着するときに、駆動装置部５の位置決めを案内する機能を有し、一対の離脱阻止片３４，３４は、洗浄液槽２に駆動装置部５とスタンプセット部４とが装着されているときに、駆動装置部５のみの離脱を阻止する機能（詳細は後述する）を有している。さらに、立上げ片３２は、機構収納部２３の防水を考慮したものである。
【００４４】
図４は、裏蓋２４を外した状態の駆動装置部５の裏面図であり、同図に示すように、機構収納部２３にはブラシ体駆動機構１５が収納されている。ブラシ体駆動機構１５は、ブラシ体６を円運動させる駆動機構部１５ａと、駆動機構部１５ａを制御する制御機構部１５ｂとで構成されている。駆動機構部１５ａは、モータ４１と、ブラシ体６を円運動させる回転体４２と、モータ４１の回転動力を回転体４２に伝達する減速歯車列４３とを備えている。この場合、減速歯車列４３は、モータ４１の主軸に固定したウォーム４４と、ウォーム４４に噛み合うウォームホイール４５と、ウォームホイール４５に同軸上に固着した中間ギヤ４６と、中間ギヤ４６に噛み合う出力ギヤ４７とで構成されており、この出力ギヤ４７が回転体４２の軸部４８に固定されている。
【００４５】
図５および図６に示すように、回転体４２は、装置部ケース１１の下壁となる裏蓋２４から突出しており、上部に出力ギヤ４７を固定した軸部４８と、軸部４８の下部にこれを囲繞するように配設した回転体本体４９とで、一体に形成されている。回転体本体４９は、軸部４８の下端部から立ち上がって上方に延びる筒状の水返し部４９ａと、水返し部４９ａから斜め下方に延びる鰭片４９ｂ（係合部材）とを有している。そして、この鰭片４９ｂがブラシ体６に係合している。モータ４１が回転し減速歯車列４３を介して回転体４２が回転すると、鰭片４９ｂが回転体４２の軸廻りに円運動（公転）し、ブラシ体６を円運動させる。
【００４６】
水返し部４９ａは、間隙を存して軸部４８と同軸上にこれを囲繞するように配設されている。一方、裏蓋２４には、軸部４８が挿通する円形の軸開口３５が形成されると共に、軸開口３５を構成する裏蓋２４の開口縁部から垂下した筒部３６が形成されており、この筒部３６が、回転体４２の軸部４８と水返し部４９ａの間の間隙に挿入されている。このような構成では、ブラッシング動作の際に洗浄液が飛散して回転体４２に付着することがあっても、洗浄液は水返し部４９ａおよび筒部３６に阻止されて、軸開口３５から装置部ケース１１の内部に浸入することがなく、シール部材等を用いること無く、軸開口３５を適切にシールすることができる。なお、出力ギヤ４７は筒部３６を挟んで、回転体４２の軸部４８に抜止め形式で装着されている。
【００４７】
一方、制御機構部２３は、図４に示すように、回路基板（コントローラ）５１と、外部から電力を供給するためのアダプタ用のコネクタ５２と、上記のスタートスイッチ１２に接続されたインターロックスイッチ５３とを、備えている。また、回路基板５１の上面（図示では裏面）には、上記のスタートスイッチ１２のスイッチ本体、電源表示ランプ１３、駆動表示ランプ１４が組み込まれ、またインターロックスイッチ５３のスイッチ本体（図８参照）６１およびブザー（図９参照）２５３などが組み込まれている。この場合、インターロックスイッチ５３は電源スイッチの機能を有しており、洗浄液槽２に駆動装置部５が装着された状態で、これにスタンプセット部４が装着されたときにＯＮする。
【００４８】
図４、図７および図８に示すように、インターロックスイッチ５３は、スイッチ本体６１と、スイッチ本体６１に進退自在に当接するスイッチ操作部材６２とで構成されている。スイッチ操作部材６２は、操作部材本体６３と、操作部材本体６３の上端から直角に延びる押下部６４と、操作部材本体６３の下部から直角に突出した操作端６５と、操作部材本体６３の下端部から斜め側方に長く延びる左右一対の戻しばね部６６，６６と、操作部材本体６３の下端部から上方に延びる左右一対の押圧ばね部６７，６７と、操作部材本体６３の下端部から操作端６５と逆方向に突出したスペーサ突起部６８とで、一体に形成されている（図７参照）。
【００４９】
スイッチ操作部材６２は、操作部材本体６３の部分で、装置部ケース１１のスタンプセット部４側の側壁２６と裏蓋２４の立上げ片３２との間の間隙に装着されている（図４および図８参照）。この状態で、操作端６５は、側壁２６のスイッチ開口２７からスタンプセット部４側に突出し、一対の戻しばね部６６，６６は、裏蓋本体３１を受けとして操作部材本体６３を上方に付勢している。また、押下部６４は、その先端部下面でスイッチ本体６１に当接し、押圧ばね部６７は、操作部材本体６３を側壁２６の内面に押し付け、さらにスペーサ突起部６８は裏蓋２４の立上げ片３２に当接して、押圧ばね部６７による操作部材本体６３の転びを防止している。
【００５０】
図８に示すように、定常状態から操作端６５が下方に押し下げられると、これに抗して戻しばね部６６が開脚すると共に押下部６４が下動して、スイッチ本体６１をＯＮさせる。逆に操作端６５の押し下げを解くと、戻しばね部６６により押下部６４が上動して、スイッチ本体６１をＯＦＦさせる。すなわち、洗浄液槽２に駆動装置部５が装着された状態で、スタンプセット部４が洗浄液槽２に装着されると、インターロックスイッチ５３がＯＮし、スタンプ洗浄装置１は洗浄待機状態でなる。また、この状態からスタンプセット部４を取り外すと、インターロックスイッチ５３がＯＦＦし、スタートスイッチ１２がインターロックされる。
【００５１】
これにより、洗浄液槽２に駆動装置部５およびスタンプセット部４が装着されている状態でなければ、ブラシ体駆動機構１５が駆動することがなく、スタンプ洗浄装置１の無駄な駆動を防止することができると共に、安全性を高めることができる。なお、図８に示すように、インターロックスイッチ５３の操作端６５は、上記の離脱阻止片３４と共に、駆動装置部５の離脱を阻止する機能を有している。
【００５２】
ここで、図９を参照して、駆動装置部５の制御系（制御機構部１５ｂ）について説明する。同図に示すように、駆動装置部５は、基本的な構成として、回路基板５１に組み込んだ制御部２１０、スイッチ部２２０、電源部２３０、駆動部２４０、報知部２５０およびモータ４１を備えている。
【００５３】
制御部２１０は、タイマー２１１を内蔵して論理ＩＣ等で構成され、スイッチ部２２０や電源部２３０からの入力信号に基づいて駆動部２４０その他の駆動装置部の各部を制御する。また、スイッチ部２２０は、タイマー２１１を駆動するためのスタートスイッチ１２と、スタンプセット部４の装着を検出したときにＯＮとなるインタロックスイッチ５３を備え、それぞれのＯＮ／ＯＦＦ信号を制御部２１０のＰ１端子、Ｐ２端子に出力する。
【００５４】
電源部２３０は、電源ユニット２３１と、外部から着脱自在な電池２３２を備えている。電源ユニット２３１は、電池２３２とコネクタ５２を介してＡＣアダプタ２３３とに接続されて電力の供給を受け、それを安定化して駆動装置部５の各部に電力を供給するとともに、電力供給中を示すレベル信号を制御部２１０のＶＤ端子に出力する。
【００５５】
報知部２５０は、電源供給中を示すＬＥＤ（電源表示ランプ１３）２５１と、モータ４１の駆動中を示すＬＥＤ（駆動表示ランプ１４）２５２と、タイマー２１１による計時終了を示すブザー２５３を備えている。駆動部２４０は、制御部２１０のＭ端子からの制御信号に従ってモータ４１を駆動するモータドライバ２４１と、Ｌ１端子およびＬ２端子からの制御信号に従ってＬＥＤ２５１およびＬＥＤ２５２を駆動するＬＥＤドライバ２４２と、Ｂ端子からの制御信号に従ってブザー２５３を駆動するブザードライバ２４３を備えている。
【００５６】
上記の構成により、制御部２１０は、電源供給中にはＬＥＤドライバ２４２を介してＬＥＤ２５１を点灯し、インタロックスイッチ５３がＯＮ状態のときにスタートスイッチ１２がＯＮになると、タイマー２１１を起動するとともにモータドライバ２４１を介してモータ４１を駆動し、タイマー２１１が所定時間の計時を終了すると、ブザードライバ２４３を介してブザー２５３による駆動終了の報知をするとともに、モータドライバ２４１によるモータ４１の駆動を停止する。
【００５７】
次に、図５、図１０、図１１および図１２を参照してブラシ体６について説明し、図１３および図１４を参照して洗浄液槽２について説明する。ブラシ体６は、ブラシ７１と、ブラシ７１を保持するブラシホルダ７２と、ブラシホルダ７２に組み込んだ重り７３とで構成されている。ブラシ７１は、全体として方形を為すブラシ本体７４と、ブラシ本体７４を植設した粘着シート７５とで構成され、ブラシホルダ７２の上面に貼着されている。
【００５８】
ブラシホルダ７２は、ブラシ７１が貼着されると共に重り７３が組み込まれた方形のホルダ本体８１と、ホルダ本体８１の一方の長辺部から三角形を為して延設した延設部８２とを有している。延設部８２には、その上面に上記回転体４２の鰭片４９ｂが係合するピン状突起８３が突出形成され、下面にガイドピン（係合ピン部）８４が突出形成されている。この場合、ピン状突起８３の上端部は半球状に形成され、対応する鰭片４９ｂの下端部は断面半円状に形成されている。洗浄液槽２に駆動装置部５を装着すると、ピン状突起８３に対し鰭片４９ｂが上下方向にオーバーラップし、続いて鰭片４９ｂが円運動を開始すると、ピン状突起８３に鰭片４９ｂが係合する。その際、この両者が全く同一の位置にあると、ピン状突起８３に対し鰭片４９ｂが当接するが、両者の先端形状によりピン状突起８３が運動方向に逃げるため、駆動装置部５の装着が円滑に行われる。
【００５９】
また、ホルダ本体８１の下面にも、上記ガイドピン８４と同様な一対のガイドピン８４，８４が形成されており、これら３つのガイドピン８４は相互に離間して配設され、後述する洗浄液槽２の３つの円形ガイド溝９３，９３，９３に係合して、ブラシホルダ（ブラシ体６）７２の円運動を案内する。
【００６０】
ホルダ本体８１の下面は、外縁部を枠状に残して重り７３を装着するための凹部８５となっており、この枠状部のうちの両長辺側の部位には、それぞれ洗浄液槽２の底面に直接接触する受け突条８６，８６が突出形成されている。すなわち、ブラシ体６はその円運動の際に、この一対の受け突条８６，８６で洗浄液槽２の底面に摺接する。
【００６１】
また、枠状部の内側には凹部８５に向かって、重り７３を押さえるための複数の押さえ突起８７が延設され、且つ装着した重り７３の抜止めとなる一対の爪片８８，８８が延設されている。一方、重り７３は、凹部８５に対応する方形のステンレス板などで構成されており、周縁部に複数の押さえ突起８６に対応する複数の切欠き部７３ａが形成されている。ブラシホルダ７２に重り７３を装着する場合には、図１２に示すように、先ずブラシホルダ７２の凹部８５に重り７３を位置合わせし、爪片８８に抗して重り７３を凹部８５内に押し込む。次に、重り７３を凹部８５内において前進させる。重り７３を前進させると、各押さえ突起８７と対応する各切欠き部７３ａが位置ずれして、重り７３が押さえ突起８７に係止される。また同時に、爪片８８が重り７３から外れ、爪片８８が重り７３の端面に当接して重り７３の後退を阻止する。
【００６２】
このような構成では、ブラシホルダ７２に重り７３を抜止め状態で簡単に装着することができると共に、工具などで爪片８８を押圧することにより、ブラシホルダ７２から重り７３を簡単に取り外すことができる。すなわち、ブラシ７１がへたってブラシ体６を廃棄するとききなどに、ブラシ体６を樹脂部分と金属部分に簡単に分解することができる。したがって、廃棄の際の処分を良好に行うことができる。
【００６３】
図１３および図１４に示すように、洗浄液槽２は、上端が開放された透明な樹脂で構成され、駆動装置部５が装着される側の辺がわずかに湾曲した平面視、略方形に形成されている。洗浄液槽２の内側には、貯留する洗浄液の水位線となる段部９１が形成され、ユーザーはこの段部９１まで洗浄液を満たすことになる。この段部９１まで洗浄液が満されると、ブラシ体６およびこれに当接するスタンプの印面が完全に洗浄液中に浸清され、かつブラシ体６が洗浄動作（円運動）して洗浄液が波立っても、洗浄液が洗浄液槽２の上端に達することはない。
【００６４】
洗浄液槽２の底面には、略三角形の盛上がり部９２が形成され、盛上がり部９２には相互に離間して３つの円形ガイド溝（円形溝部）９３，９３，９３が形成されている。各円形ガイド溝９３は、正確には同一形状の円形の環状溝であり、この各円形ガイド溝９３に上記ブラシ体６の各ガイドピン８４が係合する。すなわち、ブラシ体駆動機構１５の回転体４２が回転しその鰭片４９ｂが円運動すると、この鰭片４９ｂからブラシ体６のピン状突起８３に運動力が伝達され、ブラシ体６は、当接姿勢を保持した状態で、３つの円形ガイド溝９３に案内されて円運動する。このように、ブラシ体６の円運動が３箇所でガイドされるため、ブラシ体６の円運動はつかえることなく、円滑に行われる。なお、円形ガイド溝９３は、単純な円形の溝であってもよい。
【００６５】
また、洗浄液槽２の底面には、盛上がり部９２を横断して延びる一対の支持突条９４，９４が略平行に延設されている。各支持突条９４は、盛上がり部９２の上面からわずかに突出し、且つ円形ガイド溝９３を逃げるように配設されている。洗浄液槽２にブラシ体６を着座させると、この一対の支持突条９４，９４に、ブラシ体６の一対の受け突条８６，８６が直交するようにして接触する。すなわち、ブラシ体６はその下面に形成した受け突条８６の部分で、この支持突条９４に支持される。より具体的には、ブラシ体６は洗浄液槽２の底面に４点で支持される。このため、ブラシ体６が円運動するときに、洗浄液槽２の底面に摺接するが、その際の摩擦力は比較的小さくなり、ブラシ体６の円運動は円滑に行われる。
【００６６】
一方、洗浄液槽２の上縁部には、スタンプセット部４および駆動装置部５が係止される２つの係止孔９５，９５が形成されると共に、この２つの係止孔９５，９５に対向して各一対、計４つの小突起９６，９６，９６，９６が形成されている。なお、図中の符号９７は、駆動装置部５を洗浄液槽２に装着する際に、洗浄液槽２の係止孔９５に駆動装置部５の係止突起を位置合わせし易くすべく設けた、位置決め片である。また、スタンプセット部４の装着にあたっては、駆動装置部５の離脱阻止片３４がこの位置決め片９７と同様の機能を奏する（図１６参照）。
【００６７】
ところで、ブラシ体６の円運動の径は、円形ガイド溝９３の径と同一となり、この円運動によりブラシ体６はスタンプの印面をブラッシングする。そして、このブラッシング動作を、ブラシ体６を固定としスタンプが円運動するものとして相対的に表したのが、図１５である。同図は、各種スタンプ（複数種のスタンプが用意されている）のうち印面の最も大きなスタンプＳとブラシ体６の関係を表している。このように、スタンプＳの運動軌跡の外郭線Ｌは、ブラシ体６のブラシ７１の外郭内に納まっている。すなわち、ブラッシング動作において、印面には常にブラシ体６が摺接するようになっている。
【００６８】
次に、図１６ないし図１９を参照して、スタンプセット部４について説明する。スタンプセット部４は、内部にスタンプＳを下向きに保持すると共に、全体として下面が開放されてケース状部材となっており、ケース本体に相当するスタンプ受け部材１０１と、スタンプ受け部材１０１の側部を開閉する蓋状ケースに相当するスタンプ押圧部材１０２とで構成されている。スタンプＳは、スタンプ押圧部材１０２を開放しておいてスタンプ受け部材１０１にセットされ、続いてスタンプ押圧部材１０２を閉塞することで、スタンプ受け部材１０１とスタンプ押圧部材１０２との間に不動に挟持される。すなわち、スタンプ受け部材１０１とスタンプ押圧部材１０２とにより、スタンプＳの胴部を挟持するスタンプ保持機構が構成されている。
【００６９】
スタンプ受け部材１０１には、上記の装置部ケース１１のケース本体２１と同様に、洗浄液槽２の係止孔９５に内側から嵌合する係止突起１１１と、洗浄液槽２の小突起９６に内側から係止する掛止め片１１２とが形成され、また洗浄液槽２の隅部に対応する部位には、一対の係合片１１３，１１３が垂設されている。また、スタンプ受け部材１０１の駆動装置部５側のケース壁１１４の外面には、段差部１１５が形成され（図１６参照）、この段差部１１５がインターロックスイッチ５３の操作端６５に当接し、且つこの段差部１１５に連なる両下端部１１６，１１６が、それぞれ各離脱阻止片３４に当接する。
【００７０】
すなわち、洗浄液槽２に駆動装置部５が装着されている状態で、洗浄液槽２にスタンプセット部４を装着すると、段差部１１５がインターロックスイッチ５３をＯＮさせる。また、この状態で、駆動装置部５のみを離脱させようとすると、各離脱阻止片３４が各下端部１１６につかえ且つインターロックスイッチ５３の操作端６５が段差部１１５につかえて、駆動装置部５のみの離脱が阻止される。これにより、スタンプＳを入れ替えるときなどに、間違って駆動装置部５を外してしまうことがなし、インターロックスイッチ５３のスイッチ操作が複雑になることがない。
【００７１】
スタンプ受け部材１０１のケース壁１１４の内面は、舌片１１７が下方に延設されてスタンプＳをセットするセット部１１８が構成されている（図１７参照）。セット部１１８には、逆「Ｔ」字状に配置した４本の位置決めピン１１９が突出形成されおり、これに図示しないが、スタンプＳの位置決め穴が嵌合するようになっている。この実施形態で適用するスタンプＳには、住所印、ビジネス印、氏名印、角印、丸印などの各種のものが用意されており、これら各種のスタンプＳには、同一位置に位置決め穴が形成されている。したがって、この４本の位置決めピン１１９により、セットした各種のスタンプＳが正確に位置決めされ、且つブラッシングの際に不動に保持される。
【００７２】
一方、スタンプ押圧部材１０２は、上端部をピンヒンジ形式で、スタンプ受け部材１０１に回動自在に取り付けられている。この場合、スタンプ押圧部材１０２は、スタンプセット部（の内部）４を開放してスタンプＳのセットを可能にするセット位置と、スタンプセット部４を閉塞しセットしたスタンプＳを挟持する挟持位置との間で回動する。そして、挟持位置では、スタンプ押圧部材１０２の両側壁部１２１の形成した楔状突起１２２が、スタンプ受け部材１０１のロック溝１２３に係合して、スタンプ押圧部材１０２がスタンプ受け部材１０１にロックされる。また、スタンプ押圧部材１０２の両側壁部１２１と正面壁部１２４との間には、下側から切り込むようにして一対のスリット１２５，１２５が形成されており、両側壁部１２１をスリット１２５の幅分、内側に押すことにより、ロック溝１２３から楔状突起１２２が外れスタンプ受け部材１０１に対するスタンプ押圧部材１０２のロックが解除される。
【００７３】
スタンプ押圧部材１０２の正面壁部１２４の下端部には、上記の装置部ケース１１の裏蓋２４と同様に、洗浄液槽２の内側に係合するガイド片１２６が形成され、またガイド片１２６の上側には、４つの通気口１２７が形成されている。この通気口１２７も、駆動装置部５の通気部２９と同様に、洗浄液槽２の内部と外気とを連通する。また、ガイド片１２６は、洗浄液槽２にスタンプセット部４を装着した状態で、スタンプ押圧部材１０２の開放を阻止する。なお、上記のスリット１２５も通気口１２７と同様の機能を有している。
【００７４】
スタンプ押圧部材１０２の正面壁部１２４の内側には、筒状の突出支持部１３１が突設され、突出支持部１３１には押圧プレート１３２が摺動自在に装着されている。押圧プレート１３２は、スタンプＳに当接するプレート本体１３３と、プレート本体１３３を支持する筒状部１３４とで一体に形成され、筒状部１３４の部分で突出支持部１３１に摺動自在に支持されている。また、筒状部１３４と突出支持部１３１との間にはコイルばね１３５が内蔵され、コイルばね１３５は押圧プレート１３２を突出方向、すなわちスタンプＳを挟持する挟持方向に付勢している。プレート本体１３３は方形に形成され、その表面の縁部には長辺方向に延びる接触突起１３６が形成されている。
【００７５】
接触突起１３６は、スタンプ受け部材１０１にセットしたスタンプＳに直接接触する部位であり、スタンプ押圧部材１０２をセット位置から挟持位置に回動させてゆくと、押圧プレート１３２がセットしたスタンプＳに、この接触突起１３６が当接してスタンプＳの胴部の表面を滑ってゆく。この場合、接触突起１３６にはコイルばね１３５のばね力が作用するが、スタンプＳと押圧プレート１３２とは線接触となるため、摩擦力が小さく、スタンプＳを円滑に挟持することができる。
【００７６】
以上のように本実施形態によれば、ブラシ体６を円運動させてスタンプＳを洗浄するようにしているため、スタンプＳの印面に対しブラシ７１があらゆる方向から摺接する。したがって、スタンプＳの印面における硬化しない部分は、あらゆる方向から摺接するブラシ７１により洗い出され、効率よく洗浄される。逆に、ブラシ７１にはあらゆる方向から比較的均一に力が加わるため、ブラシ７１の痛みを抑制することができる。
【００７７】
また、洗浄液槽２の上側に、蓋体を兼ねてスタンプセット部４と駆動装置部５を配置しているため、洗浄液が外部に流出することがなく、且つスタンプセット部４や駆動装置部５を洗浄液に濡れ難くすることができる。
【００７８】
さらに、スタンプＳをスタンプセット部４にセットするときに、スタンプ押圧部材１０２をスタンプ受け部材１０１に対し開閉構造としているため、スタンプＳの挟持解除とこれを取り出すための開口の開放とを同時に行うことができ、且つスタンプＳの挟持とこれを取り出すための開口の閉塞とを同時に行うことがてきる。したがって、スタンプＳを強固に保持することができると共に、スタンプＳのセットを簡単に行うことができる。
【００７９】
なお、実施形態では、ブラシ体に円運動を行わせるようにしているが、楕円運動その他の周回運動をさせるようにしていもよい。また、ブラシ体を固定とし、スタンプを洗浄運動させる構造でもよい。さらに、スタンプセット部と駆動装置部とを一体化してもよい。一方、本発明のスタンプ洗浄装置は、ゴム印等の一般的なスタンプの洗浄装置にも適用可能である。
【００８０】
【発明の効果】
以上のように本発明のスタンプの洗浄方法およびその装置によれば、ブラシとスタンプとを相対的に周回運動させるようにしているので、印面における各凹部の汚れを良好に掻き出すことができると共に、掻き出された汚れを洗浄液に良好に溶け込ませることができる。また、ブラシの特定の一部がへたってしまうのを、防止することができる。したがって、スタンプの印面を適切に且つ安定に洗浄することができる。
【図面の簡単な説明】
【図１】本発明の一実施形態に係るスタンプ洗浄装置の外観斜視図である。
【図２】実施形態に係るスタンプ洗浄装置の分解斜視図である。
【図３】駆動装置部の装置部ケースの分解斜視図である。
【図４】駆動装置部の裏蓋を外した状態の裏面図である。
【図５】駆動装置部のブラシ体駆動機構の主要部の斜視図である。
【図６】ブラシ体駆動機構の回転体廻りの断面図である。
【図７】インターロックスイッチのスイッチ操作部の外観斜視図である。
【図８】インターロックスイッチの作動状態を表した断面図である。
【図９】駆動装置部における制御回路のブロック図である。
【図１０】ブラシ体の斜視図である。
【図１１】ブラシ体の裏面図である。
【図１２】ブラシ体におけるブラシホルダに対する重りの着脱構造を示す断面図である。
【図１３】洗浄液槽の斜視図である。
【図１４】洗浄液槽の平面図である。
【図１５】円運動におけるスタンプとブラシ体の相対的な位置関係を表した平面図である。
【図１６】洗浄液槽からスタンプセット部を取り外した状態を示す斜視図である。
【図１７】スタンプ押圧部材をセット位置に回動させた状態のスタンプセット部の斜視図である。
【図１８】スタンプをセットした状態のスタンプセット部の斜視図である。
【図１９】スタンプをセットした後スタンプ押圧部材を挟持位置に回動させた状態のスタンプセット部の斜視図である。
【符号の説明】
１  スタンプ洗浄装置
２  洗浄液槽
４  スタンプセット部
５  駆動装置部
６  ブラシ体
１１  装置部ケース
１５  ブラシ体駆動機構
１５ａ  駆動機構部
１５ｂ  制御機構部
２７  スイッチ開口
４１  モータ
４２  回転体
４９ｂ  鰭片
５１  回路基板
７１  ブラシ
７２  ブラシホルダ
７３  重り
８３  ピン状突起
８４  ガイドピン
８６  受け突条
９３  円形ガイド溝
９４  支持突条
１０１  スタンプ受け部材
１０２  スタンプ押圧部材
２１０  制御部
２５０  報知部
２１１  タイマー
２５３  ブザー
Ｓ  スタンプ
Ｌ  外郭線
【図１】
0003594801.tif 000002
【図２】
0003594801.tif 000003
【図３】
0003594801.tif 000004
【図４】
0003594801.tif 000005
【図５】
0003594801.tif 000006
【図６】
0003594801.tif 000007
【図７】
0003594801.tif 000008
【図８】
0003594801.tif 000009
【図９】
0003594801.tif 000010
【図１０】
0003594801.tif 000011
【図１１】
0003594801.tif 000012
【図１２】
0003594801.tif 000013
【図１３】
0003594801.tif 000014
【図１４】
0003594801.tif 000015
【図１５】
0003594801.tif 000016
【図１６】
0003594801.tif 000017
【図１７】
0003594801.tif 000018
【図１８】
0003594801.tif 000019
【図１９】
0003594801.tif 000020